(57)【要約】      （修正有）【課題】衛生状態を容易に保ち、メンテナンス性にも優れる介護用マットレス及び連結介護用マットレスを提供する。【解決手段】嵩密度が０．０３ｇ／ｃｍ３以上０．０８ｇ／ｃｍ３未満の編成樹脂網状構造体からなる反発層によって形成された平面視して長方形のマットレス芯材１１と、マットレス芯材１１を収納する平面視して長方形で、少なくとも下部側が防水処理された袋状カバー材１２とを有する。そして、袋状カバー材１２は、使用時にマットレス芯材１１の上面に接触する部分が撥水性素材で作製されたメッシュ生地で、使用時にマットレス芯材１１の側面及び下面にそれぞれ接触する部分が防水処理生地で形成されていることが好ましい。【選択図】図１
0003207915.tif 000002
【実用新案登録請求の範囲】
【請求項１】
嵩密度が０．０３ｇ／ｃｍ３以上０．０８ｇ／ｃｍ３未満の編成樹脂網状構造体からなる反発層によって形成された平面視して長方形のマットレス芯材と、
前記マットレス芯材を収納する平面視して長方形で、少なくとも下部側が防水処理された袋状カバー材とを有することを特徴とする介護用マットレス。
【請求項２】
請求項１記載の介護用マットレスにおいて、前記袋状カバー材は、使用時に前記マットレス芯材の上面に接触する部分が撥水性素材で作製されたメッシュ生地で、使用時に前記マットレス芯材の側面及び下面にそれぞれ接触する部分が防水処理生地で形成されていることを特徴とする介護用マットレス。
【請求項３】
請求項１又は２記載の介護用マットレスにおいて、前記袋状カバー材の隣り合う側面には連続する開閉用ファスナが設けられていることを特徴とする介護用マットレス。
【請求項４】
請求項１〜３のいずれか１項に記載の介護用マットレスにおいて、前記編成樹脂網状構造体は、ポリオレフィン系樹脂を有する中実又は中空の線状材からなるループ又はカールの隣接部同士が互いに接触絡合して形成されていることを特徴とする介護用マットレス。
【請求項５】
請求項１〜４のいずれか１記載の介護用マットレスにおいて、前記マットレス芯材は、幅が６０〜１５０ｃｍ、長さが１７０〜２５０ｃｍの範囲にあることを特徴とする介護用マットレス。
【請求項６】
請求項１〜５のいずれか１記載の介護用マットレスにおいて、前記袋状カバー材の端部には把手が設けられていることを特徴とする介護用マットレス。
【請求項７】
請求項１〜６のいずれか１記載の介護用マットレスを、２〜４枚一方向に連結部材で連結し、幅が６０〜１５０ｃｍ、長さが１７０〜２５０ｃｍの範囲にある、平面視して長方形状としたことを特徴とする連結介護用マットレス。
【考案の詳細な説明】
【技術分野】
【０００１】
本考案は、介護用マットレス及び連結介護用マットレスに関する。
【背景技術】
【０００２】
例えば、特許文献１には、一面にプロファイル加工面を有する第１高反発弾性ウレタンフォーム層と、プロファイル加工面に積層された第１低反発弾性ウレタンフォーム層と、少なくとも第１低反発弾性ウレタンフォーム層の表面に積層された樹脂フィルム層とを有し、使用時に樹脂フィルム層を上側とするマットレスが開示されている。樹脂フィルム層を積層することにより、透湿性はあるが、空気が漏れ難くなって空気圧を保持してクッション性を維持すると共に、第１低反発弾性ウレタンフォーム層の存在により不快な突き上げ感を緩和している。
【先行技術文献】
【特許文献】
【０００３】
【特許文献１】特開２０１２−１６１３９４号公報
【考案の概要】
【考案が解決しようとする課題】
【０００４】
しかしながら、特許文献１に記載のマットレスでは、樹脂フィルム層に、透湿性と共に十分な強度を持たせるために、樹脂フィルム層の厚さを５０〜９０μｍ、特に６０〜８０μｍに制御することが必要であり、樹脂フィルム層の形成が非常に煩雑になるという問題がある。
また、使用中にマットレス表面に付着した汚れを拭き取ることを繰り返すと、汚れが樹脂フィルム層の表面に徐々に摺り込まれることとなって、透湿性が徐々に低下して蒸れ易くなり、衛生状態を保つことが困難になるという問題がある。
更に、樹脂フィルム層により空気の通過が抑制されるため、マットレスを洗浄すると乾燥に長時間を要することになって、メンテナンス性に劣るという問題がある。
【０００５】
本考案はかかる事情に鑑みてなされたもので、衛生状態を容易に保ち、メンテナンス性にも優れる介護用マットレス及び連結介護用マットレスを提供することを目的とする。
【課題を解決するための手段】
【０００６】
前記目的に沿う第１の考案に係る介護用マットレスは、嵩密度が０．０３ｇ／ｃｍ３以上０．０８ｇ／ｃｍ３未満の編成樹脂網状構造体((株)エコワールド製) からなる反発層によって形成された平面視して長方形のマットレス芯材と、
前記マットレス芯材を収納する平面視して長方形で、少なくとも下部側が防水処理された袋状カバー材とを有する。
【０００７】
第１の考案に係る介護用マットレスにおいて、前記袋状カバー材は、使用時に前記マットレス芯材の上面に接触する部分が撥水性素材で作製されたメッシュ生地で、使用時に前記マットレス芯材の側面及び下面にそれぞれ接触する部分が防水処理生地で形成されているのが好ましい。
このような構成とすることで、介護用マットレスに液体がこぼれた際、液体を速やかに袋状カバー材内に移動させて保持することができる。
【０００８】
また、第１の考案に係る介護用マットレスにおいて、前記袋状カバー材の隣り合う側面には連続する開閉用ファスナ（ジッパー、面状ファスナ、ボタン等）が設けられているのが好ましい。
このような構成とすることで、マットレス芯材を袋状カバー材内に容易に挿入することができる。
【０００９】
第１の考案に係る介護用マットレスにおいて、前記編成樹脂網状構造体は、ポリオレフィン系樹脂を有する中実又は中空の線状材からなるループ又はカールの隣接部同士が互いに接触絡合することにより形成することができる。
【００１０】
第１の考案に係る介護用マットレスにおいて、前記マットレス芯材は、幅が６０〜１５０ｃｍ、長さが１７０〜２５０ｃｍの範囲にあるのが好ましい。
このようなサイズとすることで、介護用ベッドに用いることができる。
【００１１】
第１の考案に係る介護用マットレスにおいて、前記袋状カバー材の端部には把手が設けられているのが好ましい。
把手を設けることで、介護用マットレスの取扱いが容易にできる。
【００１２】
前記目的に沿う第２の考案に係る連結介護用マットレスは、第１の考案に係る介護用マットレスを、２〜４枚一方向に連結部材で連結し、幅が６０〜１５０ｃｍ、長さが１７０〜２５０ｃｍの範囲にある平面視して長方形状としている。
【考案の効果】
【００１３】
第１の考案に係る介護用マットレスは、編成樹脂網状構造体からなる反発層によって形成されたマットレス芯材は優れた通気性及び透水性を有し、使用中の蒸れを防止することができると共に、洗浄と乾燥が容易になる。このため、介護用マットレスでは、衛生状態を容易に保つことができると共に、メンテナンス性にも優れる。
更に、袋状カバー材の少なくとも下部側が防水処理されているので、こぼれた液体が介護用マットレスに吸い込まれても袋状カバー材の下面から外部に流出するのを防止できる。このため、介護用マットレスでは、付帯的なメンテナンスの負担が削減及び軽減できる。
【００１４】
第２の考案に係る連結介護用マットレスは、介護用マットレスを連結部材で連結して形成するので、介護用マットレスの枚数を調整することで、連結介護用マットレスの長さを所望の範囲に容易に調整することができる。
また、連結介護用マットレスでは、汚れた介護用マットレスは、連結部材による連結状態を解除して分離し、別の介護用マットレスと容易に交換できるので、メンテナンス性に優れる。
更に、各介護用マットレスのマットレス芯材は、編成樹脂網状構造体からなる反発層によって形成されて優れた通気性と透水性を有するので、使用中の蒸れを防止することができると共に、洗浄と乾燥が容易になる。このため、連結介護用マットレスでは衛生状態を容易に保つことが可能になる。
そして、各袋状カバー材の少なくとも下部側が防水処理されているので、こぼれた液体が介護用マットレスに吸い込まれても袋状カバー材の下面から外部に流出するのを防止でき、付帯的なメンテナンスの負担も削減及び軽減できる。
なお、連結介護用マットレスでは、連結部材を折り曲げることで介護用マットレスの大きさに折り畳むことができるので、搬送及び保管が容易にできる。
【図面の簡単な説明】
【００１５】
【図１】本考案の第１の実施の形態に係る介護用マットレスの斜視図である。
【図２】同介護用マットレスの断面構造を示す模式図である。
【図３】本考案の第２の実施の形態に係る連結介護用マットレスの斜視図である。
【図４】同連結介護用マットレスの折り畳み途中の状態を示す側面図である。
【図５】同連結介護用マットレスの折り畳んだ状態を示す斜視図である。
【図６】本考案の第３の実施の形態に係る連結介護用マットレスの斜視図である。
【考案を実施するための形態】
【００１６】
続いて、添付した図面を参照しつつ、本考案を具体化した実施の形態につき説明し、本考案の理解に供する。
図１、図２に示すように、本考案の第１の実施の形態に係る介護用マットレス１０は、嵩密度が０．０３ｇ／ｃｍ３以上０．０８ｇ／ｃｍ３未満の編成樹脂網状構造体からなる反発層によって形成された平面視して長方形のマットレス芯材１１と、マットレス芯材１１を収納する平面視して長方形で、少なくとも下部側が防水処理された袋状カバー材１２とを有する。ここで、マットレス芯材１１の幅ＬＷは６０〜１５０ｃｍ、マットレス芯材１１の長さＬＡは１７０〜２５０ｃｍの範囲にあり、マットレス芯材１１の厚さ２〜１５ｃｍである。
【００１７】
袋状カバー材１２は、使用時にマットレス芯材１１の上面に接触する部分が撥水性素材（例えば、ポリエチレン）で作製されたメッシュ生地１３で、使用時にマットレス芯材１１の側面及び下面にそれぞれ接触する部分が防水処理生地１４でそれぞれ形成されている。
【００１８】
図１に示すように、袋状カバー材１２の隣り合う側面、例えば、平面視して長方形の袋状カバー材１２の一方の短辺を含む側面１５と、平面視した袋状カバー材１２の一方の長辺を含む側面１６には、袋状カバー材１２の高さ方向の中央部より上面１７側の位置に、上面１７と平行に開閉用ファスナ１８が連続して設けられている。なお、隣り合う側面に連続して設ける開閉用ファスナ１８の両端が、隣り合う側面の角部からそれぞれ側面の長手方向に沿って側面の長手方向長さの８０〜９５％の距離だけ離れた位置に存在するように開閉用ファスナ１８の全長を調節している。これにより、袋状カバー材１２に開閉可能な開閉部１９を設けることができる。
【００１９】
このような構成とすることにより、開閉用ファスナ１８を操作して、使用時の状態の介護用マットレス１０の開閉部１９を開放状態にすることにより、袋状カバー材１２の上面１７側の一部を上方に向けて開くことができ、袋状カバー材１２の中からマットレス芯材１１を容易に取出すことができる。また、袋状カバー材１２の開閉用ファスナ１８を操作して開閉部１９を開放状態にすることにより、袋状カバー材１２内にマットレス芯材１１を挿入することができ、次いで開閉部１９を閉状態にすることにより、袋状カバー材１２内にマットレス芯材１１が収納された介護用マットレス１０を容易に形成することができる。
なお、開閉用ファスナ１８の代わりに、面状開閉用ファスナ、ボタン、ホックのいずれか１又は２以上を組み合わせて使用してもよい。
【００２０】
ここで、図1に示すように、袋状カバー材１２の端部、例えば、側面１６の中央部の下側に把手２０を取付けてもよい。把手２０は、撥水性素材（例えば、ポリエチレン）を用いて形成された、平面視してＵ字状となっていることが好ましい。なお、Ｕ字状となった把手２０の厚さは２〜５ｍｍ、幅は２０〜４０ｍｍ、長さ（Ｕ字に沿った両端間の長さ）は介護用マットレス１０の使用状況に応じて任意に設定するのがよい。袋状カバー材１２に把手２０を設けることで、介護用マットレス１０の取扱いが容易となる。
【００２１】
マットレス芯材１１を形成する編成樹脂網状構造体は、ポリオレフィン系樹脂（例えば、ポリプロピレン又はポリエチレン）と、酢酸ビニル樹脂、エチレン酢酸ビニル共重合体、又はスチレンブタジエンスチレンとの混合樹脂を成形して得られる中実の線状材（外径は０．３〜３ｍｍ）又は中空の線状材（外径は１〜３ｍｍ）からなるループ又はカールの隣接部同士が互いに接触絡合することにより集合して形成されている（例えば、特許第４４９９８９１号公報参照）。
【００２２】
なお、ポリオレフィン系樹脂と酢酸ビニル樹脂から混合樹脂を作製する場合、ポリオレフィン系樹脂７０〜９７質量％に対して酢酸ビニル樹脂が３〜３０質量％含有されるように調製する。なお、酢酸ビニル樹脂の代わりにエチレン酢酸ビニル共重合体を使用する場合も、同じ割合で混合することができる。
また、ポリオレフィン系樹脂とスチレンブタジエンスチレンから混合樹脂を作製する場合、ポリオレフィン系樹脂５０〜９７質量％に対してスチレンブタジエンスチレンが３〜５０質量％含有されるように調製する。
【００２３】
続いて、本考案の第１の実施の形態に係る介護用マットレス１０の作用について説明する。
マットレス芯材１１は、編成樹脂網状構造体からなる反発層によって形成されているので、使用時でも優れた通気性を維持することができ、マットレス芯材１１の蒸れの防止と、マットレス芯材１１からの放熱の促進を図ることができる。これにより、介護用マットレス１０の衛生状態を維持しながら、寝た状態の被介護者の身体的負担を軽減することができる。
また、編成樹脂網状構造体からなるマットレス芯材１１は優れた透水性を有するので、マットレス芯材１１の内部の汚れを容易に洗浄することができると共に、短時間で乾燥させることができる。このため、介護用マットレス１０はメンテナンス性に優れると共に、介護用マットレス１０の衛生状態を容易に保つことができる。
【００２４】
更に、袋状カバー材１２では、使用時にマットレス芯材１１の上面に接触する部分、即ち、使用時の介護用マットレス１０の上面となる部分を、撥水性素材で作製されたメッシュ生地１３で形成することにより、介護用マットレス１０上に液体がこぼれても、液体を素早く下方（袋状カバー材１２の内側）に誘導させることができ、被介護者に液体が長時間に亘って接触するのを防止できる。
そして、袋状カバー材１２において使用時にマットレス芯材１１の側面及び下面にそれぞれ接触する部分を防水処理生地１４でそれぞれ形成することにより、マットレス芯材１１に移動した液体を袋状カバー材１２内に溜めて側面及び下面から外部に流出するのを防止できる。
このため、介護用マットレス１０では、介護用マットレス１０の使用時に発生する付帯的なメンテナンスを削減及び軽減することができる。
【００２５】
図３、図４、図５に示すように、本考案の第２の実施の形態に係る連結介護用マットレス２２は、平面視して長方形の２枚の介護用マットレス２３、２３ａを、一方向に連結ファスナ３１（連結部材の一例）で連結し、幅ＫＷが６０〜１５０ｃｍ、長さ（ＫＡ＋ＫＡ）が１７０〜２５０ｃｍの範囲にある、平面視して長方形状としている。
【００２６】
介護用マットレス２３、２３ａはそれぞれ、嵩密度が０．０３ｇ／ｃｍ３以上０．０８ｇ／ｃｍ３未満の編成樹脂網状構造体からなる反発層によって形成された平面視して長方形のマットレス芯材２４、２５と、マットレス芯材２４、２５を収納する平面視して長方形で、少なくとも下部側が防水処理された袋状カバー材２７、２８とを有する。ここで、マットレス芯材２４、２５の幅ＫＷは６０〜１５０ｃｍ、マットレス芯材２４、２５のそれぞれの長さＫＡは８５〜１２５ｃｍである。また、マットレス芯材２４、２５の厚さは２〜１５ｃｍである。
なお、マットレス芯材２４、２５の作用効果は、本考案の第１の実施の形態に係るマットレス芯材１１の作用効果と同じなので、マットレス芯材２４、２５の説明は省略する。
【００２７】
一列に並べた介護用マットレス２３、２３ａにおいて、袋状カバー材２７、２８のそれぞれの第１、第２の対向側面２９、３０の上側角部２９ａ、３０ａには、袋状カバー材２７、２８を接続する連結ファスナ３１が設けられ、連結ファスナ３１を介して二つ折り可能に連結されている。ここで、連結ファスナ３１の長さは、袋状カバー材２７、２８の幅と同じとしているが、袋状カバー材２７、２８の幅の７０％以上、好ましくは８０％以上であればよい。
更に、第１の対向側面２９の反対側にある第１の他側面３２の上側角部の中央部には把手３３が、第２の対向側面３０の反対側にある第２の他側面３４の上側角部の中央部には把手３５がそれぞれ設けられている。
【００２８】
把手３３、３５は、平面視してＵ字状となっていることが好ましい。なお、Ｕ字状となった把手３３、３５の厚さは２〜５ｍｍ、幅は２０〜４０ｍｍ、把手３３の両端側はそれぞれ袋状カバー材２７の第１の他側面３２の上側角部の中央部の上面３６に固定されており、把手３５の両端側はそれぞれ袋状カバー材２８の第２の他側面３４の上側角部の中央部の上面３７に固定されている。なお、把手３３、３５は、撥水性素材（例えば、ポリエチレン）を用いて形成することが好ましい。また、把手３３、３５の両端部の間隔及びＵ字に沿った把手３３、３５の両端間の長さは、介護用マットレス２３、２３ａのサイズ、使用状況に応じて任意に設定する。
【００２９】
袋状カバー材２７、２８において、使用時にマットレス芯材２４、２５の上面に接触する部分（袋状カバー材２７、２８の上面３６、３７となる領域）は撥水性素材（例えば、ポリエチレン）で作製されたメッシュ生地で形成されている。
【００３０】
使用時にマットレス芯材２４、２５の側面に接触する部分（袋状カバー材２７、２８の側面となる部分）、具体的には、袋状カバー材２７では、第１の対向側面２９と、第１の他側面３２と、第１の対向側面２９の両端と第１の他側面３２の両端をそれぞれ繋ぐ対となる第１の連絡側面３８となる部分、袋状カバー材２８では、第２の対向側面３０と、第２の他側面３４と、第２の対向側面３０の両端と第２の他側面３４の両端をそれぞれ繋ぐ対となる第２の連絡側面３９となる部分は防水処理生地で形成されている。
また、使用時にマットレス芯材２４、２５の下面に接触する部分、即ち、袋状カバー材２７、２８の下面４０、４１となる部分は防水処理生地で形成されている。
【００３１】
袋状カバー材２７、２８の隣り合う側面、具体的には、袋状カバー材２７では、第１の他側面３２と、第１の他側面３２に隣り合う一方の第１の連絡側面３８には、袋状カバー材２７の高さ方向の中央部より上面３６側の位置に、上面３６（下面４０）と平行に開閉用ファスナ４２が連続して設けられ、袋状カバー材２８では、第２の他側面３４と、第２の他側面３４に隣り合う一方の第２の連絡側面３９には、袋状カバー材２８の高さ方向の中央部より上面３７側の位置に、上面３７（下面４１）と平行に開閉用ファスナ４３が連続して設けられている。
なお、隣り合う側面にそれぞれ設ける開閉用ファスナ４２、４３の両端が、隣り合う側面の角部からそれぞれ側面の長手方向に沿って側面の長手方向長さの８０〜９５％の距離だけ離れた位置に存在するように開閉用ファスナ４２、４３の長さを調節するのがよい。これにより、袋状カバー材２７、２８に開閉可能な開閉部４４、４５を形成することができる。
【００３２】
このような構成とすることにより、連結介護用マットレス２２において連結ファスナ３１を操作して介護用マットレス２３、２３ａの連結を解除することができる。そして、介護用マットレス２３、２３ａ毎に、袋状カバー材２７、２８の開閉用ファスナ４２、４３を操作して開閉部４４、４５を開放状態にすることにより、袋状カバー材２７、２８の上面側の一部を上方に向けて開くことができ、袋状カバー材２７、２８の中からマットレス芯材２４、２５を取出すことができる。
【００３３】
また、袋状カバー材２７、２８を連結ファスナ３１を介して連結し、袋状カバー材２７、２８の開閉用ファスナ４２、４３を操作して開閉部４４、４５を開放状態にしてマットレス芯材２４、２５を挿入した後に開閉部４４、４５を閉じる（即ち、袋状カバー材２７、２８内にマットレス芯材２４、２５を収納する）ことにより、連結介護用マットレス２２を容易に形成することができる。なお、袋状カバー材２７、２８内にマットレス芯材２４、２５を収納して介護用マットレス２３、２３ａを予め形成した後、介護用マットレス２３、２３ａを連結ファスナ３１を介して連結してもよい。
ここで、連結ファスナ３１としてジッパーを使用することができるが、ジッパーの代わりに、面状ファスナ、ボタン、ホックのいずれか１又は２以上を組み合わせて使用してもよい。
【００３４】
本考案の第２の実施の形態に係る連結介護用マットレス２２の作用について説明する。
図３に示すように、連結介護用マットレス２２においては、介護用マットレス２３、２３ａのそれぞれの袋状カバー材２７、２８の第１、第２の対向側面２９、３０の上側角部２９ａ、３０ａが連結ファスナ３１により連結されているので、使用時では介護用マットレス２３、２３ａを一列に並んだ状態に容易にすることができ、非使用時には、図４に示すように、介護用マットレス２３の袋状カバー材２７と介護用マットレス２３ａの袋状カバー材２８の上面同士が当接するように折り曲げることにより、図５に示すように連結介護用マットレス２２を介護用マットレス２３、２３ａの大きさに折り畳むことができる。
【００３５】
そして、介護用マットレス２３の袋状カバー材２７の第１の他側面３２の上側角部の中央部と、介護用マットレス２３ａの袋状カバー材２８の第２の他側面３４の上側角部の中央部にはそれぞれ把手３３、３５が設けられているので、図５に示すように、連結介護用マットレス２２を折り畳んだ際、把手３３、３５を一つの面上に集合させることができ、把手３３、３５を用いて折り畳まれた連結介護用マットレス２２を吊り下げることができ、容易に持ち運びすることが可能になる。
【００３６】
介護用マットレス２３、２３ａのマットレス芯材２４、２５は、編成樹脂網状構造体からなる反発層によって形成されているので、使用時でも優れた通気性を維持することができ、マットレス芯材２４、２５の蒸れの防止と、マットレス芯材２４、２５からの放熱の促進を図ることができる。これにより、連結介護用マットレス２２の衛生状態を維持しながら、寝た状態の被介護者の身体的負担を軽減することができる。
また、編成樹脂網状構造体からなるマットレス芯材２４、２５は優れた透水性を有するので、マットレス芯材２４、２５の内部の汚れを容易に洗浄することができると共に、短時間で乾燥させることができる。このため、連結介護用マットレス２２はメンテナンス性に優れると共に、連結介護用マットレス２２の衛生状態を容易に保つことができる。
【００３７】
更に、袋状カバー材２７、２８では、使用時にマットレス芯材２４、２５の上面に接触する部分、即ち、使用時の連結介護用マットレス２２の上面となる部分を、撥水性素材で作製されたメッシュ生地で形成することにより、連結介護用マットレス２２上に液体がこぼれても、液体を素早く下方（袋状カバー材２７、２８の内側）に誘導させることができ、被介護者に液体が長時間に亘って接触するのを防止できる。
そして、袋状カバー材２７、２８において使用時にマットレス芯材２４、２５の側面及び下面にそれぞれ接触する部分を防水処理生地でそれぞれ形成することにより、マットレス芯材２４、２５に移動した液体を袋状カバー材２４、２６内に溜めて側面及び下面から外部に流出するのを防止できる。
このため、連結介護用マットレス２２では、連結介護用マットレス２２の使用時に発生する付帯的なメンテナンスを削減及び軽減することができる。
【００３８】
図６に示すように、本考案の第３の実施の形態に係る連結介護用マットレス４６は、平面視して長方形の４枚の介護用マットレス４７、４７ａ、４７ｂ、４７ｃを、一方向に連結ファスナ５１、５１ａ、５１ｂ（連結部材の一例）で連結し、幅が６０〜１５０ｃｍ、長さが１７０〜２５０ｃｍの範囲にある、平面視して長方形状としている。
【００３９】
ここで、介護用マットレス４７は、平面視して長方形のマットレス芯材４８とマットレス芯材４８を収納する袋状カバー材５０を、介護用マットレス４７ａは、平面視して長方形のマットレス芯材４８ａとマットレス芯材４８ａを収納する袋状カバー材５０ａを、介護用マットレス４７ｂは、平面視して長方形のマットレス芯材４８ｂとマットレス芯材４８ｂを収納する袋状カバー材５０ｂを、介護用マットレス４７ｃは、平面視して長方形のマットレス芯材４８ｃとマットレス芯材４８ｃを収納する袋状カバー材５０ｃをそれぞれ有している。
なお、マットレス芯材４８、４８ａ、４８ｂ、４８ｃの構成、及び作用効果は、本考案の第１の実施の形態に係るマットレス芯材１１の構成、及び作用効果と同じなので、マットレス芯材４８、４８ａ、４８ｂ、４８ｃの説明は省略する。
【００４０】
一列に並べた介護用マットレス４７、４７ａ、４７ｂ、４７ｃにおいて、袋状カバー材５０、５０ａの対向側面の上側角部、袋状カバー材５０ａ、５０ｂの対向側面の下側角部、袋状カバー材５０ｂ、５０ｃの対向側面の上側角部には、それぞれ、隣り合う袋状カバー材５０、５０ａ、５０ｂ、５０ｃを接続する連結ファスナ５１、５１ａ、５１ｂが設けられている。
【００４１】
そして、隣り合う袋状カバー材５０ａ、５０ｂの対向側面の下側角部に設けられて山折りされる連結ファスナ５１ａと接続する袋状カバー材５０ａ（袋状カバー材５０ｂでもよい）の上面の対向側面側の端部の幅方向中央部には把手５２が設けられている。
更に、図６に示すように、袋状カバー材５０ｃの上面の他側面側（袋状カバー材５０ｂとの対向側面の反対側にある面側）の端部の幅方向中央部には把手５２ａが、袋状カバー材５０の上面の他側面側（袋状カバー材５０ａとの対向側面の反対側にある面側）の端部の幅方向中央部には把手５３がそれぞれ設けられている。
【００４２】
ここで、符号５４は袋状カバー材５０の隣り合う側面に設けられた開閉用ファスナ、符号５５は開閉用ファスナ５４により開閉する開閉部、符号５６は袋状カバー材５０ａの隣り合う側面に設けられた開閉用ファスナ、符号５７は開閉用ファスナ５６により開閉する開閉部、符号５８は袋状カバー材５０ｂの隣り合う側面に設けられた開閉用ファスナ、符号５９は開閉用ファスナ５８により開閉する開閉部、符号６０は袋状カバー材５０ｃの隣り合う側面に設けられた開閉用ファスナ、符号６１は開閉用ファスナ６０により開閉する開閉部である。
【００４３】
ここで、連結ファスナは、袋状カバー材５０、５０ａの対向側面の下側角部、袋状カバー材５０ａ、５０ｂの対向側面の上側角部、袋状カバー材５０ｂ、５０ｃの対向側面の下側角部に設けることもできる。
この場合、把手は、下側角部に設けられて山折りされる連結ファスナと接続する袋状カバー材５０（隣り合う袋状カバー材５０、５０ａのいずれか一方）の上面の袋状カバー材５０ａとの対向側面側の端部の幅方向中央部に、下側角部に設けられて山折りされる連結ファスナと接続する袋状カバー材５０ｂ（隣り合う袋状カバー材５０ｂ、５０ｃのいずれか一方）の上面の袋状カバー材５０ｃとの対向側面側の端部の幅方向中央部にそれぞれ設ける。
なお、本考案の第３の実施の形態に係る連結介護用マットレス４６の作用は、本考案の第２の実施の形態に係る連結介護用マットレス２２の作用と同じなので、説明は省略する。
【００４４】
以上、本考案を、実施の形態を参照して説明してきたが、本考案は何ら上記した実施の形態に記載した構成に限定されるものではなく、特許請求の範囲に記載されている事項の範囲内で考えられるその他の実施の形態や変形例も含むものである。
更に、本実施の形態とその他の実施の形態や変形例にそれぞれ含まれる構成要素を組合わせたものも、本考案に含まれる。
例えば、平面視して長方形の３枚の介護用マットレスを、一方向に連結ファスナで連結し、幅が６０〜１５０ｃｍ、長さが１７０〜２５０ｃｍの範囲にある、平面視して長方形状の連結介護用マットレスを形成することもできる。
【符号の説明】
【００４５】
１０：介護用マットレス、１１：マットレス芯材、１２：袋状カバー材、１３：メッシュ生地、１４：防水処理生地、１５、１６：側面、１７：上面、１８：開閉用ファスナ、１９：開閉部、２０：把手、２２：連結介護用マットレス、２３、２３ａ：介護用マットレス、２４、２５：マットレス芯材、２７、２８：袋状カバー材、２９：第１の対向側面、２９ａ：上側角部、３０：第２の対向側面、３０ａ：上側角部、３１：連結ファスナ、３２：第１の他側面、３３：把手、３４：第２の他側面、３５：把手、３６、３７：上面、３８：第１の連絡側面、３９：第２の連絡側面、４０、４１:下面、４２、４３：開閉用ファスナ、４４、４５：開閉部、４６：連結介護用マットレス、４７、４７ａ、４７ｂ、４７ｃ：介護用マットレス、４８、４８ａ、４８ｂ、４８ｃ：マットレス芯材、５０、５０ａ、５０ｂ、５０ｃ：袋状カバー材、５１、５１ａ、５１ｂ：連結ファスナ、５２、５２ａ、５３：把手、５４：開閉用ファスナ、５５：開閉部、５６：開閉用ファスナ、５７：開閉部、５８：開閉用ファスナ、５９：開閉部、６０：開閉用ファスナ、６１：開閉部
【図１】
0003207915.tif 000003
【図２】
0003207915.tif 000004
【図３】
0003207915.tif 000005
【図４】
0003207915.tif 000006
【図５】
0003207915.tif 000007
【図６】
0003207915.tif 000008